(57)【要約】【課題】大型化することなく香りを持続できるシャワヘッドを提供すること。【解決手段】シャワヘッド本体２の吐水口４の開放端４ａに着脱自在に装着される吐水キャップ５を備えたシャワヘッド１において、前記吐水キャップ５の裏面９側に樹脂製の吐水板１１を設け、この吐水板１１に香りを放つ芳香成分を含ませてある。【選択図】　　　　図２
2004089811.tif 000002
【特許請求の範囲】
【請求項１】
シャワヘッド本体の吐水口の開放端に着脱自在に装着される吐水キャップを備えたシャワヘッドにおいて、前記吐水キャップの裏面側に樹脂製の吐水板を設け、この吐水板に香りを放つ芳香成分を含ませてあることを特徴とするシャワヘッド。
【請求項２】
前記吐水板は、吐水キャップに設けた吐水孔に挿通可能に装着される通水孔部を有する請求項１に記載のシャワヘッド。
【請求項３】
前記吐水板は、シリコン樹脂製で、前記通水孔部を前記吐水キャップに設けた前記吐水孔に対応する位置に有する一方、前記通水孔部は、前記吐水孔に挿通可能な長さに突出した筒状部分を前記吐水板の前面側に有する請求項１または請求項２に記載のシャワヘッド。
【請求項４】
前記吐水キャップは樹脂製で、前記吐水キャップに香りを放つ芳香成分を含ませてある請求項１ないし請求項３のいずれかに記載のシャワヘッド。
【請求項５】
シャワヘッド本体の吐水口の開放端に着脱自在に装着される樹脂製の吐水キャップを備えたシャワヘッドにおいて、前記吐水キャップに香りを放つ芳香成分を含ませてあることを特徴とするシャワヘッド。
【発明の詳細な説明】
【０００１】
【発明の属する技術分野】
この発明は、シャワヘッドに関するものである。
【０００２】
【従来の技術および発明が解決しようとする課題】
シャワヘッドに粉末または液体の芳香剤や、固形の芳香剤を収納したものがあるけれども、いずれも水溶性のため放出される香りの持続期間が短いという欠点がある。また、これら芳香剤を交換操作が簡単なケースに収納した、いわゆるカートリッジ式のシャワヘッドは前記ケース分だけサイズが大型化するという欠点がある。
【０００３】
この発明はこのような実情を考慮に入れてなされたものであって、大型化することなく香りを持続できるシャワヘッドを提供することを目的としている。
【０００４】
【課題を解決するための手段】
この発明は上述の課題を解決するための手段を以下のように構成している。
すなわち、この発明のシャワヘッドは、シャワヘッド本体の吐水口の開放端に着脱自在に装着される吐水キャップを備えたシャワヘッドにおいて、前記吐水キャップの裏面側に樹脂製の吐水板を設け、この吐水板に香りを放つ芳香成分を含ませてある。
【０００５】
また、この発明は別の観点から、シャワヘッド本体の吐水口の開放端に着脱自在に装着される樹脂製の吐水キャップを備えたシャワヘッドにおいて、前記吐水キャップに香りを放つ芳香成分を含ませてあることを特徴とするシャワヘッドを提供する。
【０００６】
【発明の実施の形態】
図１、図２は、この発明の好ましい一実施形態を示す。
【０００７】
図１、図２において、１は、シャワヘッドで、下流側のシャワヘッド本体２とこのシャワヘッド本体２から上流側に連設されたグリップ部３を有する。シャワヘッド本体２とグリップ部３は硬質の樹脂で形成されている。
【０００８】
シャワヘッド１には、図外の湯水混合栓や蛇口などに接続する給水路が形成されている。また、シャワヘッド本体２は、この下流側に吐水口４が形成されている。そして、この吐水口４の開放端４ａに吐水キャップ５がビス６により着脱自在に装着されている。吐水キャップ５も硬質の樹脂で形成されている。１０は、ビス６が螺合するねじ部で、シャワヘッド本体２の背面部２ａから開放端４ａに向かって延設されている。
【０００９】
前記吐水キャップ５は、平面視円形で、中央部にビス６が挿通するビス挿通穴部５ａを有するとともに、ビス挿通穴部５ａのまわりに、吐水口２に導入された水あるいは湯水混合水がシャワーとして散水される多数の散水孔（吐水孔）７を有する。この実施形態では、三つの同心円上にそれぞれ複数個の散水孔７が所定間隔で形成されている。散水孔７が形成される吐水キャップ５の面は表面８および裏面９とも表面側に緩やかに湾曲した湾曲面をなす。
【００１０】
以下、この発明の特徴的構成について説明する。
【００１１】
１１は、シリコン樹脂製の吐水板で、吐水キャップ５の裏面側に着脱自在に設けられている。この吐水板１１には、香りを放つ芳香成分を含ませてある。吐水板１１は、変形自在な軟質の薄肉状環状板で、中央にビス挿通穴部５ａに外側から嵌込まれる嵌込孔部１２を有し、吐水キャップ５に形成した散水孔７に対応する位置に通水孔部１３を有する。すなわち、吐水板１１には、前記嵌込孔部１２のまわりの三つの同心円上にそれぞれ複数個の前記通水孔部１３が所定間隔で形成されている。また、前記各通水孔部１３は、前記散水孔７に挿通可能な長さに突出した筒状部分１３ａを前記吐水板１１の前面１１ａ側に有する。この実施形態では、筒状部分１３ａは、筒状部分１３ａの先端Ｅが吐水キャップ５の表面８から僅かに突出するよう突出長さが設定されている。
【００１２】
そして、ビス挿通穴部５ａに嵌込孔部１２を嵌込むとともに、吐水板１１の前面１１ａが吐水キャップ５の裏面９に当接するまで筒状部分１３ａを散水孔７に挿通させることで吐水キャップ５の裏面９側に吐水板１１が装着され、この状態で、吐水口４の開放端４ａに吐水キャップ５がビス６により装着されうる。
【００１３】
なお、散水孔７の形状にばらつきがあって整流状態の悪い散水孔７が形成されていても、筒状部分１３ａを散水孔７に挿通して設置することで、整流状態を良好にできる。また、通水孔部１３は、変形自在な軟質のシリコン樹脂で薄肉に形成されているので、通水孔部１３に付着したごみを直接手や布で取り除くことができ、硬質の吐水キャップ５の散水孔７が目詰まりを起こした場合に比して、容易な作業で目詰まりを解消できる利点を有する。
【００１４】
また、香りを放つ芳香樹脂を予め多数のペレットに成形しておき、これらペレットと、シリコン樹脂よりなる多数のペレットとを所定の配合量にて混合し、この混合したものを加熱、溶融させた後、金型を用いて樹脂成形することにより環状体の吐水板１１をうることができる。
【００１５】
而して、吐水板１１に香りを放つ芳香成分を含ませたので、カートリッジを不要にでき、シャワヘッド１の大型化を防止できる。
【００１６】
また、吐水板１１を用いることにより接水面積が増えるので、香りの効果を増大できる。
【００１７】
更に、吐水板１１に香りを放つ芳香成分を含ませてあるので、香りの持続期間を従来に比して延長できる。
【００１８】
なお、上記実施形態では、吐水板１１に香りを放つ芳香成分を含ませてたシャワヘッド１を示したが、この発明では、樹脂製の吐水キャップ５に香りを放つ芳香成分を含ませてもよい。すなわち、香りを放つ芳香樹脂を予め多数のペレットに成形しておき、これらペレットと、吐水キャップ５の原料となる樹脂よりなる多数のペレットとを所定の配合量にて混合し、この混合したものを加熱、溶融させた後、金型を用いて樹脂成形することにより吐水キャップ５をうることができる。この場合、使用する前記金型として、既存の吐水キャップの金型を利用できるので、イニシャルコストを不要にできる。
【００１９】
更に、この発明には、香りを放つ芳香成分を吐水板１１と樹脂製の吐水キャップ５に含ませたシャワヘッドも含まれる。この場合は、上記二つの実施形態よりも香りの効果を増大できる。
【００２０】
【発明の効果】
以上説明したようにこの発明では、大型化することなく香りを持続できるシャワヘッドを提供することができる。
【図面の簡単な説明】
【図１】この発明の一実施形態を示す構成説明図である。
【図２】上記実施形態における要部分解斜視図である。
【符号の説明】
１…シャワヘッド、２…シャワヘッド本体、４…吐水口、４ａ…開放端、５…吐水キャップ、９…裏面、１１…吐水板。
【図１】
2004089811.tif 000003
【図２】
2004089811.tif 000004